(57)【要約】【課題】賞球払出装置から払い出された遊技球により生ずる球通路での球詰まり状態を簡単な操作により解消することが可能なパチンコ機を提供すること。【解決手段】シャッターを備えた賞球払出装置から払い出された遊技球を前枠５の受け皿部に誘導する受け皿集合樋１０を設け、前枠を閉じたときに受け皿集合樋の係止ピン１９がシャッター２４の案内溝２５に係合することにより球通路２１の出口を開放し、他方、前枠を開放したときに係止ピンと案内溝２５との係合状態が解かれて同シャッターにより球通路の出口を塞ぐように設けたパチンコ機において、受け皿集合樋１０に、払い出された遊技球を載せることができる受け面１５に突起１７が形成された介入片１４を設け、前枠が閉じられるときに、球通路２１の出口の真下を通過する介入片１４の受け面に球通路内に残留する遊技球を迎え入れると共に突起１７によって同遊技球を上方に突き上げるように設けた。【選択図】図２
2008259658.tif 000002
【特許請求の範囲】
【請求項１】
外枠に取り付けられる内枠側に、球通路の出口にシャッターを備えた賞球払出装置を設け、その内枠に一側部を軸支して開閉可能に設けた前枠の裏面側に、その賞球払出装置から払い出された遊技球を該前枠の正面側に設けられる受け皿部に誘導する受け皿集合樋を設け、前枠を閉じたときに該受け皿集合樋の係止部が前記シャッターの一部に係合することにより前記球通路の出口を開放し、他方、前枠を開放したときに前記受け皿集合樋の係止部と前記シャッターとの係合状態が解かれて同シャッターにより前記球通路の出口を塞ぐように設けたパチンコ機において、
前記受け皿集合樋には、前記賞球払出装置から払い出された遊技球を載せることができる受け面の所定箇所に突起が形成された介入片を設け、前記前枠が閉じられるときに、前記受け皿集合樋の係止部により前記球通路の出口を開放させるとほぼ同時に、その出口の真下を通過する前記介入片の受け面に前記球通路内に残留する遊技球を迎え入れると共に前記突起によって同遊技球を上方に突き上げるように設けたことを特徴とするパチンコ機。
【請求項２】
前記受け皿部が、前記前枠と一体に設けられ又は前記内枠に一側部を軸支されて開閉可能に設けられていることを特徴とする請求項１に記載のパチンコ機。
【請求項３】
前記受け皿集合樋の係止部を係止ピンとし、前記シャッターの一部を案内溝とすることを特徴とする請求項１又は２に記載のパチンコ機。
【請求項４】
前記介入片の突起が受け面の一部又は全体に亘って形成されていることを特徴とする請求項１から３の何れかに記載のパチンコ機。
【発明の詳細な説明】
【技術分野】
【０００１】
本発明は、パチンコ機の内枠側に設けられる賞球払出装置と前枠側に設けられる受け皿との関連構造に関するものである。
【背景技術】
【０００２】
従来のパチンコ機には、外枠に取り付けられる内枠の裏面側に賞球払出装置を設け、内枠の前面側に一側部を軸支して開閉可能に設けた受け皿部に、賞球払出装置から払い出された遊技球が球通路内を通って誘導される構成のものがある（例えば、特許文献１）。
【０００３】
ところで、賞球払出装置から払い出された遊技球が球通路内に残留しているときに点検等のために受け皿部を開かなければならない場合に、球通路の出口が開放された状態のままであれば、球通路内の遊技球がパチンコ機の外に流出してしまうことになる。
【０００４】
そこで、受け皿部を開いた場合において、賞球払出装置から払い出されて球通路内に残留する遊技球が機外に流出するのを防止するように改良したパチンコ機が出現した。この形式のパチンコ機の要部を図８に示す。このパチンコ機では、図示しない賞球払出装置に連通する球通路ａの出口ｂに、バネｅにより常に出口ｂを塞ぐ方向に付勢されたシャッターｃを備えている。他方、上記形式のパチンコ機の受け皿部に相当する前枠ｇの裏面側に、球通路ａの出口ｂに対応する受け口ｉを備えた受け皿集合樋ｈが設けられている。前枠ｇの正面側には、図示しない受け皿部を一体に設けている。
【０００５】
しかして、前枠ｇを閉じたときには、受け皿集合樋ｈに設けた係止ピンｊがシャッターｃに設けられた案内溝ｄに係合することにより球通路ａの出口ｂが開放される。その状態において賞球払出装置から払い出された遊技球ｘは、球通路ａから受け皿集合樋ｈを通って受け皿部に誘導される（図９）。他方、前枠ｇを開放したときには、係止ピンｊが案内溝ｄから脱して当該案内溝ｄとの係合状態が解かれるので、シャッターｃにより球通路ａの出口ｂが塞がれる（図１０）。これにより、球通路ａ内に残留する遊技球ｘが機外に流出するのを防止される。
【０００６】
ところで、賞球払出装置から連続して多数の遊技球が払い出された場合等において、球通路内で遊技球が互いに絡み合って球詰まりを生ずることがある。かかる球詰まりを生じたときには、後者のパチンコ機においては人手によりシャッターを開いて棒状のもので球通路内の遊技球を突くなどして球詰まり状態を解消しているが、その作業は煩わしいものであった。
【特許文献１】特開２００４−８９５０６号公報
【発明の開示】
【発明が解決しようとする課題】
【０００７】
本発明の目的は、賞球払出装置から払い出された遊技球により生ずる球通路での球詰まり状態を簡単な操作により解消することが可能なパチンコ機を提供することにある。
【課題を解決するための手段】
【０００８】
前記目的を達成するために請求項１に記載した発明は、外枠に取り付けられる内枠側に、球通路の出口にシャッターを備えた賞球払出装置を設け、その内枠に一側部を軸支して開閉可能に設けた前枠の裏面側に、その賞球払出装置から払い出された遊技球を該前枠の正面側に設けられる受け皿部に誘導する受け皿集合樋を設け、前枠を閉じたときに該受け皿集合樋の係止部が前記シャッターの一部に係合することにより前記球通路の出口を開放し、他方、前枠を開放したときに前記受け皿集合樋の係止部と前記シャッターとの係合状態が解かれて同シャッターにより前記球通路の出口を塞ぐように設けたパチンコ機において、
前記受け皿集合樋には、前記賞球払出装置から払い出された遊技球を載せることができる受け面の所定箇所に突起が形成された介入片を設け、前記前枠が閉じられるときに、前記受け皿集合樋の係止部により前記球通路の出口を開放させるとほぼ同時に、その出口の真下を通過する前記介入片の受け面に前記球通路内に残留する遊技球を迎え入れると共に前記突起によって同遊技球を上方に突き上げるように設けたことを特徴とする。
【０００９】
同様の目的を達成するために請求項２に記載した発明は、請求項１に記載のパチンコ機において、前記受け皿部が、前記前枠と一体に設けられ又は前記内枠に一側部を軸支されて開閉可能に設けられていることを特徴とするものである。
【００１０】
同様の目的を達成するために請求項３に記載した発明は、請求項１又は２に記載のパチンコ機において、前記受け皿集合樋の係止部を係止ピンとし、前記シャッターの一部を案内溝とすることを特徴とするものである。
【００１１】
同様の目的を達成するために請求項４に記載した発明は、請求項１から３の何れかに記載のパチンコ機において、前記介入片の突起が受け面の一部又は全体に亘って形成されていることを特徴とするものである。
【発明の効果】
【００１２】
（請求項１の発明）
このパチンコ機は、前枠を閉じるときに賞球払出装置の球通路の出口の真下を通過する受け皿集合樋の突起によって球通路内に払い出されて残留する遊技球を上方に突き上げることができるように設けているので、前枠を一旦開いてから閉じるという簡単な操作により、球通路内で遊技球が互いに絡み合って生じた球詰まり状態を速やかに解消することが可能である。
【００１３】
（請求項２の発明）
このパチンコ機は、受け皿部が前枠と一体に設けられる場合や、受け皿部が内枠に一側部を軸支されて開閉可能に設けられる場合の何れにおいも適用することができるので、応用範囲が広く利便性に優れている。
【００１４】
（請求項３の発明）
このパチンコ機は、受け皿集合樋の係止ピンをシャッターの案内溝に係合させる構成としており、シャッターの開閉作動を円滑に行なわせることができる。
【００１５】
（請求項４の発明）
このパチンコ機は、介入片の突起を受け面の一部又は全体に亘って形成しており、球通路内に払い出されて残留する遊技球を少なくとも１回に突き上げることにより、球詰まり状態を解消することが可能である。
【発明を実施するための最良の形態】
【００１６】
以下に、本発明の最良の形態例を図面に基づいて説明する。図１は前枠を開放した状態の本発明に係るパチンコ機（遊技盤とガラスユニットを省略）の斜視図、図２は前枠を開放して球通路と受け皿集合樋との位置関係を示す説明図、図３は前枠を閉じた場合にシャッターにより球通路の出口が開放された状態を示す説明図、図４は介入片の突起箇所の断面図、図５はシャッターにより球通路の出口を開放した状態を示す要部の説明図、図６は前枠を開放した場合にシャッターにより球通路の出口が塞がれた状態を示す説明図、図７はシャッターにより球通路の出口を塞いだ状態を示す要部の説明図である。
【００１７】
図１において、本発明に係るパチンコ機ｐの概要構成を述べる。
このパチンコ機ｐでは、長方形の外枠１の前面に内枠３がヒンジ金具２により左側部を軸支されて開閉自在に設けられ、その内枠３の前面側に、図示しない遊技盤を臨む窓穴部６を形成した前枠５が左側部を軸支されて開閉自在に設けられている。前枠５の正面側には、図示しない受け皿部が一体に設けられるほか、装飾ランプ、スピーカ、遊技球発射装置の発射ハンドル７等が適宜設けられる。前枠５の裏面側には、内枠３に取り付けられる遊技盤の前面を覆う透明ガラスを備えたガラスユニット（図示せず）を装着するガラス装着部８、賞球払出装置（図示せず）から払い出された遊技球を受け皿部に誘導する受け皿集合樋１０をガラス装着部８の下部に設けている。
【００１８】
なお、この実施形態例では、受け皿部を前枠に一体に設ける構成のパチンコ機について述べているが、これ以外にガラス扉と受け皿部とが内枠に一側部を軸支されて夫々開閉可能に設けられる構成のパチンコ機についても適用することができる。
【００１９】
図２、図３に示すように、受け皿集合樋１０は、前枠５に固定される取付け部１１から後方向に延びる誘導路１２の後端に上方が開放された受け口１３を設け、その受け口１３の左側縁に左斜め方向へ突出する介入片１４を一体に設けている。介入片１４は、賞球払出装置から払い出された遊技球を載せることができる平坦な受け面１５の周縁に高さの低い側壁１６が形成されている。受け面１５の所定箇所、この実施形態では受け口１３に連通する箇所には、受け口１３に向かって上り傾斜の突起１７を形成している（図４）。
【００２０】
なお、上記介入片の突起については、この実施形態のように受け面の一部に設ける以外に、受け面の全体に亘って設けてもよい。
【００２１】
１８は誘導路１２の外側のフランジ１２ａに固定された係止金具である。図２に示すように、係止金具１８には、縦向きの係止ピン１９が突設されている。
【００２２】
内枠３には、遊技盤、球タンク４、図示しない入賞口に遊技球の入賞があったときに所定数の遊技球（賞球）を払い出す公知構造の賞球払出装置や、これらを制御する主制御部・払出制御部等の電子回路装置等が集約的に取り付けられている。図５に示すように、賞球払出装置に下流側で連通する球通路２１の出口２２には、固定ピン２３により水平方向に回転可能に軸支されてバネ２６により常に当該出口２２を塞ぐ方向に付勢されたシャッター２４を備えている。シャッター２４の下面には、前記受け皿集合樋１０の係止ピン１９を迎え入れて係合可能な案内溝２５が一体に形成されている（図３）。
【００２３】
しかして、前枠５を閉じた場合には、受け皿集合樋１０の係止ピン１９がシャッター２４の案内溝２５に係合して同シャッター２４を反時計方向に回転させるので、球通路２１の出口２２が開放される（図３）。他方、前枠５を開放した場合には、受け皿集合樋１０の係止ピン１９がシャッター２４の案内溝２５から脱して案内溝２５との係合状態が解かれ、同シャッター２４がバネ２６の弾発力により時計方向に回転して球通路２１の出口２２を塞ぐように設けられる（図６）。以上により、本発明に係るパチンコ機ｐが構成される。
【００２４】
つぎに、本発明に係るパチンコ機ｐの作用について説明する。
（１）前枠５が閉じられた通常の場合には、受け皿集合樋１０の係止ピン１９がシャッター２４の案内溝２５に係合して同シャッター２４を反時計方向に回転させるので、球通路２１の出口２２は開放されている。しかして、賞球払出装置において、遊技球の入賞口（図示せず）への入賞信号がパチンコ機の主制御部に送られて同入賞口に対応する遊技球の払い出し個数が決定され、その払い出し信号を受ける払出制御部（図示せず）からパルス信号が送られてステッピングモータ（図示せず）を該パルス信号に対応する回転角だけ回転作動させることにより、遊技球が１個ずつ払い出される。
（２）賞球払出装置から連続して多数の遊技球が払い出された場合において、球通路２１内に充満した遊技球が互いに絡み合って球詰まりを生ずることがある。
（３）球詰まりが発生したときには、前枠５を一旦開いてから閉じる操作を行なう。
（４）一旦開いた前枠５を閉じるときには、受け皿集合樋１０の係止ピン１９により球通路２１の出口２２を開放させるとほぼ同時に、賞球払出装置の球通路２１の出口２２の真下を通過する受け皿集合樋１０の介入片１４の受け面１５に球通路２１内の遊技球ｙを迎え入れ（図４）、その遊技球ｙが突起１７に乗り上げることによって球通路２１内に残留する遊技球を上方に突き上げる。遊技球ｙの突き上げる力が上方の遊技球に伝播することにより、遊技球の絡み合いがなくなって球詰まり状態は解消される。なお、前枠５の一度の開閉操作により球詰まり状態が解消されないときには、同じ操作を繰り返しても良い。
【００２５】
以上に述べた通り、このパチンコ機は、前枠を閉じるときに賞球払出装置の球通路の出口の真下を通過する受け皿集合樋の突起によって球通路内に払い出されて残留する遊技球を上方に突き上げることができるように設けているので、前枠を一旦開いてから閉じる簡単な操作により、球通路内における球詰まり状態を速やかに解消することができる。
【図面の簡単な説明】
【００２６】
【図１】前枠を開放した状態の本発明のパチンコ機（遊技盤とガラスユニットを省略）の斜視図
【図２】前枠を開放して球通路と受け皿集合樋との位置関係を示す説明図
【図３】前枠を閉じた場合にシャッターにより球通路の出口が開放された状態を示す説明図
【図４】介入片の突起箇所の断面図
【図５】シャッターにより球通路の出口を開放した状態を示す要部の説明図
【図６】前枠を開放した場合にシャッターにより球通路の出口が塞がれた状態を示す説明図
【図７】シャッターにより球通路の出口を塞いだ状態を示す要部の説明図
【図８】従来のパチンコ機において前枠を開放して球通路と受け皿集合樋との位置関係を示す説明図
【図９】従来のパチンコ機においてシャッターにより球通路の出口を開放した状態を示す説明図
【図１０】従来のパチンコ機においてシャッターにより球通路の出口を塞いだ状態を示す説明図
【符号の説明】
【００２７】
ｐ・・・本発明に係るパチンコ機
１・・・外枠
３・・・内枠
５・・・前枠
１０・・・受け皿集合樋
１４・・・介入片
１５・・・受け面
１７・・・突起
１９・・・係止ピン
２１・・・球通路
２２・・・出口
２４・・・シャッター
２５・・・案内溝
【図１】
2008259658.tif 000003
【図２】
2008259658.tif 000004
【図３】
2008259658.tif 000005
【図４】
2008259658.tif 000006
【図５】
2008259658.tif 000007
【図６】
2008259658.tif 000008
【図７】
2008259658.tif 000009
【図８】
2008259658.tif 000010
【図９】
2008259658.tif 000011
【図１０】
2008259658.tif 000012